(57)【要約】【課題】監視エリア毎に自動通報をするかしないかの設定ができるようにして、家人のニーズに応じたきめ細かい設定ができ、使い勝手の改善されたワイヤレス防犯システムを提供する。【解決手段】ワイヤレス防犯受信器は、監視エリア毎に外部通報の有効、無効の情報を設定するための外部通報設定操作手段と、ワイヤレス防犯センサからの発報信号を受信して、所属の監視エリアを判別するとともに、上記外部通報設定操作手段の設定による上記監視エリアの外部通報の有効、無効を判別する判別制御手段と、通報先情報を記憶させたメモリを有し、判別制御手段によって作動されたときには、そのメモリに記憶された通報先に、所定の通報を行う構成にしている通報制御手段とを備えた構成としている。【選択図】図１
2005173837.tif 000002
【特許請求の範囲】
【請求項１】
所定のグループ毎に区分された、複数のワイヤレス防犯センサと、
これらのグループ毎に監視エリアを構成して、それぞれの監視エリアからの発報を監視するワイヤレス防犯受信器とを組合わせて構成され、
上記ワイヤレス防犯受信器は、
監視エリア毎に外部通報の有効、無効の情報を設定するための外部通報設定操作手段と、
ワイヤレス防犯センサからの発報信号を受信して、所属の監視エリアを判別するとともに、上記外部通報設定操作手段の設定による上記監視エリアの外部通報の有効、無効を判別する判別制御手段と、
通報先情報を記憶させたメモリを有し、上記判別制御手段によって作動されたときには、そのメモリに記憶された通報先に、所定の通報を行う構成にしている通報制御手段とを備えた構成としたワイヤレス防犯システム。
【請求項２】
請求項１において、
上記外部通報設定手段は、外部通報の有効、無効を設定するための切換スイッチを備えているワイヤレス防犯システム。
【請求項３】
請求項１、２のいずれかにおいて、
上記ワイヤレス防犯受信器は、外部通報をすべき、少なくとも１以上の監視エリアを選択して、まとめて登録するためのパターン設定スイッチを有した外部通報パターン設定手段を更に備えているワイヤレス防犯システム。
【請求項４】
請求項３において、
上記ワイヤレス防犯受信器に、監視エリア毎の外部通報の有効、無効の情報を登録設定させるための外部通報設定操作手段と、
上記ワイヤレス防犯受信器に、予め登録した外部通報先に通報をすべき、少なくとも１以上の監視エリアを選択して、まとめて登録するための外部通報パターン設定操作手段との、少なくとも一方を備え、かつ、
これらの設定操作手段によって設定された情報を、上記ワイヤレス防犯受信器にワイヤレス送信して登録設定する構成としたワイヤレス遠隔操作送信器を更に備えたことを特徴とするワイヤレス防犯システム。
【発明の詳細な説明】
【技術分野】
【０００１】
本発明は、所定のグループ毎に区分された、複数のワイヤレス防犯センサと、これらのグループ毎に監視エリアを構成して、それぞれの監視エリアからの発報を監視するワイヤレス防犯受信器とを組合わせて構成されるワイヤレス防犯システムに関する。
【背景技術】
【０００２】
近時、一般住宅などにおいては、特許文献１に示すようなワイヤレス防犯システムが広く利用されている。このものは、防犯のために扉、窓などに設置したワイヤレス防犯センサと、このような防犯センサからワイヤレス信号を受信して警報を行うワイヤレス防犯受信器とで構成される。
このようなシステムでは、通常の監視状態では、ワイヤレス防犯センサが複数設置される一方、ワイヤレス防犯受信器では、これらの防犯センサをグループに区分して、各グループを１つの監視エリアとして登録設定する構成にしている。
また、自動通報機能を備えたワイヤレス防犯システムも公知であり、このものでは、ワイヤレス防犯センサが異常検知をしたときに、契約先の警備会社や警察などに異常発生の旨を通知するため、ワイヤレス受信器側に予め通報先を登録しており、外部通報有無設定手段によって、その通報先への外部通報の有無が予め設定されるようになっている。
【特許文献１】特開平７−１５２９７６号公報
【発明の開示】
【発明が解決しようとする課題】
【０００３】
しかしながら、従来の自動通報機能を備えたワイヤレス防犯システムでは、すべての監視エリアを対象として自動通報を行うか否かの設定をする構成であるため、ワイヤレス防犯センサの設置場所、つまり、ワイヤレス防犯センサを玄関に設置するか、家人が通常出入りする勝手口であるかなどによって、自動通報をするかしないかといったきめ細かい設定ができず、家人のニーズに応じた機能を必ずしも果たしえず、使い勝手も十分なものではなかった。
したがって、本発明は、以上のような事情を考慮して提案されるものであり、監視エリア毎に自動通報をするかしないかの設定ができるようにして、家人のニーズに応じたきめ細かい設定ができ、使い勝手の改善されたワイヤレス防犯システムを提供することを目的とする。
【課題を解決するための手段】
【０００４】
上記目的を達成するために、本発明の請求項１では、ワイヤレス防犯受信器は、監視エリア毎に外部通報の有効、無効の情報を設定するための外部通報設定操作手段と、ワイヤレス防犯センサからの発報信号を受信して、所属の監視エリアを判別するとともに、上記外部通報設定操作手段の設定による上記監視エリアの外部通報の有効、無効を判別する判別制御手段と、通報先情報を記憶させたメモリを有し、判別制御手段によって作動されたときには、そのメモリに記憶された通報先に、所定の通報を行う構成にしている通報制御手段とを備えた構成としている。
請求項２では、ワイヤレス防犯受信器の外部通報設定手段は、外部通報の有効、無効を設定するための切換スイッチを備えている。
請求項３では、ワイヤレス防犯受信器は、外部通報をすべき、少なくとも１以上の監視エリアを選択して、まとめて登録するためのパターン設定スイッチを有した外部通報パターン設定手段を更に備えている。
請求項４では、ワイヤレス防犯受信器に、監視エリア毎の外部通報の有効、無効の情報を登録設定させるための外部通報設定操作手段と、ワイヤレス防犯受信器に、予め登録した外部通報先に通報をすべき、少なくとも１以上の監視エリアを選択して、まとめて登録するための外部通報パターン設定操作手段との、少なくとも一方を備え、かつ、これらの設定操作手段によって設定された情報を、ワイヤレス防犯受信器にワイヤレス送信して、ワイヤレス防犯受信器に登録設定する構成としたワイヤレス遠隔操作送信器を更に備えたことを特徴とする。
【発明の効果】
【０００５】
本発明の請求項１，２によれば、監視エリア毎に外部通報の有無を設定できるので、家人のニーズにあった決めの細かい対応が可能となり、使い勝手が著しく改善できる。
請求項３によれば、複数の監視エリアに付いて、昼、夜、外出時などの外部通報の形態を予めパターン制御の形で登録しておけば、逐一設定スイッチを操作して設定する手間が省けて、操作性も簡易かつ改善され、一層使い勝手の良い防犯システムが実現する。
請求項４によれば、ワイヤレス防犯受信器から離れたワイヤレス遠隔操作送信器側で、監視エリア毎やパターン制御として複数の監視エリアに対する外部通報の設定が出来る。従って、ワイヤレス遠隔操作送信器を携帯可能な構成にしたものでは、所望の場所で設定ができるので、より一層利便である。
【発明を実施するための最良の形態】
【０００６】
以下に、本発明の実施の形態について説明する。
【実施例１】
【０００７】
図１、図２は、本発明システムの一実施例を示している。
ワイヤレス防犯受信器１は、図１に示すように、ワイヤレス防犯受信器１を制御する信号処理部Ａ、ワイヤレス信号を受信するワイヤレス受信部Ｂ、スピーカＳＰを有する警報音出力部Ｃ、通報制御手段１３により制御され、通報先Ｐ、Ｑに自動通報をする自動通報部Ｄを備える。
信号処理部Ａは、外部通報有無情報メモリ１２を有する外部通報情報設定手段１１、判別制御手段１０、通報先情報メモリ１４を有する通報制御手段１３を備える。
外部通報有無情報メモリ１２には、監視エリア毎に外部通報を行うか否かの情報が登録される。このメモリ１２への登録は外部通報設定手段１１により行われる。
通報制御手段１４には、監視エリア毎に通報先情報を登録しており、通報制御手段１３は、判別制御手段１０により作動指示があったときには、自動通報部Ｄを作動して、その監視エリアに対応する通報先に対して外部通報をする。
ここに通報先は、契約している警備会社、警察などの他、家人が予め登録させた任意の通信装置の端末番号、すなわち、固定電話番号、ファクシミリ番号、携帯電話番号、電子メールアドレスであってもよい。なお、全ての監視エリアや、複数の監視エリアをまとめて共通の１つの通報先を設定するようにしてもよく、こうすれば、通報先情報メモリ１４の容量を小さくすることができる。
【０００８】
判別制御手段１０は、ワイヤレス防犯センサ２からワイヤレス信号を受信したときに、そのセンサ２のアドレスを判定し、所属する監視エリアの判定を行い、更に、その監視エリアの警戒、非警戒、報知それぞれのモードの判定を行う。そして、警戒、報知いずれかのモードであれば、通報制御手段１４を作動させ、異常のあった監視エリアを通知する。
図２は、ワイヤレス防犯システムの概略構成の一例を示している。
本発明のワイヤレス防犯システムは、ワイヤレス防犯受信器１と、複数のワイヤレス防犯センサ２（＃１〜＃Ｎ）とで構成される。
ワイヤレス防犯センサ２は、少なくも１以上のものが、それぞれグループ毎に区分されており、各々のグループごとに監視エリアを構成している。ここでは、監視エリアをグループＧ１、グループＧ２、・・・グループＧｎで示されている。
ワイヤレス防犯受信器１は、システムを監視エリア毎に、あるいはすべての監視エリアに対して一括して、警戒モード、非警戒モード、報知モードのいずれかに設定できる。また、ネットワークＮ、Ｎ´を通じて、警備会社、警察署などの通報先Ｐ，Ｑに接続されており、監視エリア毎に設定した通報先に外部通報をするか否かの設定ができる。
このような構成のシステムでは、いずれかのワイヤレス防犯センサ２が異常を検知すると、そのセンサ２から発報信号がワイヤレス信号として出力され、これを受信したワイヤレス防犯受信器１では、判別手段１０は、受信した信号から、発報したワイヤレス防犯センサ２のアドレスを判定し、その監視エリアを判定し、更に判定した監視エリアに対するモード、すなわち、警戒モード、報知モード、非警戒モードを判定するとともに、自動通報の有無を判定する。
そして、警戒モードであれば所定の警報を出力し、更に自動通報の設定がされていれば、通報先Ｐ，Ｑに外部通報をする。外部通報は、警戒モードのみには限られず、報知モードの際にも行うようにしてもよく、ワイヤレス防犯受信器１と通報先Ｐ，Ｑとは、図２に示した態様のように、有線のネットワークＮや、無線Ｎ’で通じて通報できるようにしてもよい。
【０００９】
警戒モード、報知モードの際には、ワイヤレス信号受信時には、監視エリアに対応する表示窓Ｗ１〜Ｗｎに各監視エリアで異常発生、あるいは動作確認した旨を表示する。特に警戒モードにおいては、異常発生した旨を表示窓Ｗ１〜Ｗｎに表示するだけではなく、スピーカＳＰから警報音を出力する。
図３は、ワイヤレス防犯受信器１の信号処理部Ａの具体的な構成例を示す図である。信号処理部Ａは、制御プログラムなどを格納し、図示しないＲＯＭを有するマイコンで構成され、ＣＰＵ１６、外部通報有無情報登録メモリ１２、通報先情報メモリ１４、監視エリア登録メモリ１５、切換スイッチ２１（Ｇ１〜Ｇｎ）、モード登録メモリ１７を備える。
この信号処理部Ａにおいて、判別制御手段１０はＣＰＵ１６で構成される。また、通報制御手段１３は、通報先情報メモリ１４、自動通報部Ｄで構成される。更に、外部通報情報設定手段１１は、ＣＰＵ１０、外部通報有無情報メモリ１２、切換スイッチ２１（Ｇ１〜Ｇｎ）で構成される。切換スイッチ２１（Ｇ１〜Ｇｎ）は外部通報情報設定手段１１を構成し、監視エリアＧ１〜Ｇｎに対応して設けられている。
外部通報有無情報登録メモリ１２には、監視エリアのそれぞれに対応して、外部情報をするか否かが登録され、監視エリア登録メモリ１５には、ワイヤレス防犯センサのアドレスに対応して、その監視エリアが登録されている。
通報先情報メモリ１４には、監視エリア毎に外部通報をすべき通報先が登録されているが、監視エリア毎でなくても全監視エリアで共通の通報先に設定することもできる。また、第１、第２の自動通報先への通報が失敗した場合に備えて、予め予備の通報先を登録できる構成としてもよい
【００１０】
モード登録メモリ１７には、監視エリア毎に、警戒、非警戒、報知のいずれかのモードが登録される。
切換スイッチ２１（Ｇ１〜Ｇｎ）のそれぞれは、各監視エリアＧ１〜Ｇｎに対応して設けられており、その操作により、非警戒モード→報知モード→警戒モードと順次循環的に設定できる。そして、非警戒、報知、警戒モードの設定情報は、先述したモード登録メモリ１７に登録される。また、外部通報の有無については、監視エリア毎に、外部通報有無情報メモリ１２に登録される。
図４は、このような構成のワイヤレス防犯受信器１の基本動作を説明するためのフローチャートである。
なわち、監視モードにおいては、以下の処理をする。なお、登録モードは、監視エリア毎のモードや外部通報有無を登録するモードであるが、これについては後述する。
いずれかのワイヤレス防犯センサ２からワイヤレス信号を受信したときには（１００）、ＣＰＵ１６は、監視エリア登録メモリ１５を参照して、そのセンサ２の監視エリアを判定する（１０１）。
そして、ＣＰＵ１６は、その監視エリアに対応するモードを、モード登録メモリ１７より判定する（１０２）。
警戒モードであれば、外部通報有無情報メモリ１２を参照して、外部情報の有無を判定し（１０３）、有りの設定であれば（１０４）、警報出力と外部通報とを同時に行わせる（１０５）。一方、無しの設定であれば（１０４）、警報出力のみ行わせる（１０６）。
【００１１】
また、報知モードであれば、外部通報有無情報メモリ１２を参照して、外部情報の有無を判定し（１０７）、有りの設定であれば（１０８）、報知と外部通報とを同時に行わせる（１０９）。一方、無しの設定であれば（１０８）、報知出力のみ行わせる（１１０）。
更に、非警戒モードであれば、表示部に動作表示を行うだけで、次のワイヤレス信号の受信に対して待機する。
なお、外部通報は、先述したように、監視エリア毎に対応する通報先に行われるが、外部通報部Ｄにリダイヤル機能を設け、所定回数リダイヤルしても呼出ができなかった場合には、予備の通報先に通報するようにしてもよい。
また、ここでは、切換スイッチ２１によるモード及び自動通報有無を、モード登録メモリ１７及び外部通報有無情報メモリ１２に登録させるようにしているが、メモリ１２，１７に登録せずに、操作スイッチや、ディップスイッチなどに記憶させる構成にしてもよく、その場合には、部品点数の削減、コスト削減が図れる。
図５は、信号処理部Ａの構成の他例を示す図である。図３の信号処理部Ａと異なる点は、切換スイッチ２１を設けた点にあり、モード切換用のスイッチ２１Ａ（Ｇ１〜Ｇｎ）と、通報有無切換用のスイッチ２１Ｂ（Ｇ１〜Ｇｎ）とを別途設けている。基本的な機能については、図３の信号処理部Ａと同様である。
なお、これまでは、モードや外部通報有無の情報は、ハードスイッチ操作により設定する構成を示したが、図６に示すような処理をＣＰＵ１６が行うことにより、ソフトスイッチとして設定できるようにしてもよい。
すなわち、所定操作によって、登録モードの開始指示がされたら（２００）、そのモードの実行を開始する（２０１）。そして、表示窓Ｗ１〜Ｗｎのいずれか、あるいは別途設けた既存の表示部を利用して、指定できる監視エリアを表示して、監視エリアの指定を促す（２０２）。
【００１２】
そして、ここで終了が指示されたら登録モードを終了する一方、監視エリア指定されたら（２０３）、指定できるモードを表示してモード指定を促す（２０４）。モード指定されたら（２０５）、そのモードを、ステップ２０３で指定された監視エリアに対応して、モード登録メモリ１７に登録する（２０６）。
ついで、ステップ２０５で指定されたモードが、非警戒モードであるなら（２０７）、外部通報有無は登録せずに次に指定可能な監視エリアの表示（２０２）に移るが、警戒あるいは報知モードであるなら（２０７）、外部通報の有無を促す表示をし（２０８）、その有無が指定されたら、ステップ２０３で指定された監視エリアに対応した外部通報有無情報を外部通報有無情報メモリ１２に登録する（２１０）。
このようなソフトスイッチで登録するようにすると、切換スイッチ２１を監視エリアの数に応じて設ける必要がなく、部品点数が削減でき、ワイヤレス防犯受信器１の外観の見栄えがよくなる。
図７は、信号処理部Ａの更に他例を示す図である。図３の信号処理部Ａと異なる点は、外部通報パターン設定手段１８を付加した点にある。
このパターン設定手段１８は、複数のパターン選択スイッチ１９（＃１〜＃ｍ）と、パターン登録メモリ２０とで構成される。パターン登録メモリ２０には、図８に示すように、各監視エリアに応じて、少なくとも外部通報有無情報が相互に異なる複数のパターン、つまり、１以上の監視エリアを外部通報有りに規定した複数の異なるパターンを予め登録しており、これらのパターンに応じて、パターン選択スイッチ１９を備えている。
そして、パターン登録メモリ２０に予め登録した各パターンでは、図８にも示すように、監視エリアに応じた外部通報有無情報だけではなく、監視エリアに応じた各モード（警戒、非警戒、報知）も予め登録している。このような各パターンは製造段階から登録されていてもよいが、ユーザによって所定手順によって任意に登録できる構成としてもよい。
【００１３】
このような構成によれば、いずれかのパターン選択スイッチ１９（＃１〜＃ｍ）を操作すれば、そのスイッチ１９に対応する番号のパターンが、パターン登録メモリ２０から抽出され、そのパターンで規定される情報に基づいて、外部通報有無情報登録メモリ１２と、モード登録メモリ１７のそれぞれの情報が上書きされる。
すなわち、監視エリア情報、モード情報はモード登録メモリ１７で上書きされ、外部通報有無情報は外部通報有無情報メモリ１２で上書きされる。
なお、パターン選択スイッチ１９はここではハードスイッチとして設けているが、ＣＰＵ１６によるソフト処理により既存の操作キーを操作して選択できるようにすれば、スイッチ１９をパターンの数に合わせて登録する必要がなくなる。
【実施例２】
【００１４】
次に、本発明の他の実施例について説明する。図９は、監視エリア毎のモードや外部通報有無を、遠隔より行えるワイヤレス遠隔操作送信器４の外観構成の一例を示す図である。
また、図１０は、その操作送信器４の内部構成の一例を示す図である。
このものは、前述したワイヤレス防犯受信器１の外部通報有無情報登録メモリ１２に、監視エリア毎の外部通報の有効、無効の情報を登録設定させるための外部通報設定操作手段と、受信器１の外部通報有無情報登録メモリ１２に、予め登録した外部通報先に通報をすべき、少なくとも１以上の監視エリアを選択して、まとめて登録するための外部通報パターン設定操作手段１８との、少なくとも一方を備える。
ワイヤレス送受信部４２は、ワイヤレス防犯受信器１との間で必要な送受信を行うが、少なくとも送信機能を備えたものであればよい。
この操作送信器４では、外部通報設定操作手段４０は、ＣＰＵ４１、モード設定スイッチＢ３，４によって構成される。また、外部通報パターン設定操作手段１８は、ＣＰＵ４１、パターンスイッチＢ５によって構成される。
スイッチＢ１〜Ｂ４は、監視エリアＧ１〜Ｇｎの数に応じて設けている。Ｂ１は警戒切りスイッチを示しており、各監視エリアの警戒あるいは報知モードを解除して、非警戒モードとするためのものである。
Ｂ２は報知モード設定スイッチであり、各監視エリアを報知モードに登録するためのものである。Ｂ３、Ｂ４は警戒モード設定スイッチであり、各監視エリアを警戒モードに設定するためのものであるが、Ｂ３は警戒モードの設定はするが、外部通報無しと設定するものである一方、Ｂ４は警戒モード設定と同時に外部通報有りと設定するものである
【００１５】
Ｂ５はパターンスイッチであり、いずれかのスイッチを操作して、ワイヤレス受信器１のパターン登録メモリ２０に格納される各種パターンを選択するものである。
ＣＰＵ４０は、警戒切りスイッチＢ１が操作されたときには、その監視エリアコードを含む警戒切り信号を受信器１に出力する。報知モード設定スイッチＢ２が操作されたときには、その監視エリアコードを含む報知モード設定信号を受信器１に出力する。警戒モード（通報なし）設定スイッチＢ３が操作されたときには、その監視エリアコードを付加した警戒モード（通報なし）信号を受信器１に出力する。
警戒モード（通報あり）設定スイッチＢ４が操作されたときには、その監視エリアコードを付加した警戒モード（通報あり）信号をワイヤレス防犯受信器１に出力する。
パターンスイッチＢ５を操作したときには、パターン番号を含むパターン選択信号を受信器１に出力する。
このような構成の遠隔操作送信器４は、これらの釦Ｂ１〜Ｂ５の操作があったときには、先述した各種信号をワイヤレス信号として受信器１に出力し、登録設定させる。
図１１は、その際のワイヤレス防犯受信器１の基本動作を説明するフローチャートである。ワイヤレス防犯受信器１では、遠隔操作送信器４からワイヤレス信号を受信したときには（３００）、それが警戒切り信号であれば（３０１）、この信号で規定される監視エリアを非警戒モードとモード登録メモリ１７で書き換える（３０２）。
【００１６】
また、報知モード設定信号であれば（３０３）、この信号で規定される監視エリアを報知モードとモード登録メモリ１７で書き換える（３０４）。
更に、警戒モード（通報なし）信号であれば（３０５）、この信号で規定される監視エリアを、警戒モードとモード登録メモリ１７で書き換えるとともに、その監視エリアを通報無しとして、外部通報有無情報メモリ１２で書き換える（３０６）。
更に、警戒モード（通報あり）信号であれば（３０７）、この信号で規定される監視エリアを、警戒モードとモード登録メモリ１７で書き換えるとともに、その監視エリアを通報有りと外部通報有無情報メモリ１２で書き換える（３０８）。
また、パターン選択信号であれば（３０９）、その信号で規定されるパターン番号を判定し、その番号のパターンをパターン登録メモリ２０より読み出して（３１０）、その情報をメモリ１２，１７で書き換える（３１１）。
【００１７】
なお、この実施例２では、ワイヤレス防犯受信器１は、通常の警戒、報知時の制御の他、上記フローチャートの動作処理が最小限度できる構成であればよい。そのようなシステムでは、実施例１のような、切換スイッチ２１やパターン選択スイッチ１９が必要とせず、部品点数が削減できる。しかしながら、本発明は、このような簡易構成のワイヤレス防犯受信器との組み合わせに限定されず、前述した構成のワイヤレス防犯受信器とを組み合わせて構成したものを用いてもよい。
また、実施例１のワイヤレス防犯受信器１によって、上記したフローチャートで示した処理を行う場合には、ワイヤレス防犯受信器１での登録処理動作と遠隔操作送信器４からの指示による登録処理動作とが重複し、相反することがある。そのような場合には、いずれか一方を優先させることを、ユーザ側で任意に設定できるような機能を付加すればよい。
【図面の簡単な説明】
【００１８】
【図１】本発明システムに適用されるワイヤレス防犯受信器の内部構成の一例を示す図
【図２】本発明システムの概略構成の一例を示す図
【図３】ワイヤレス防犯受信器の信号処理部の具体的構成例を示す図
【図４】ワイヤレス防犯受信器の基本動作を説明するためのフローチャート
【図５】ワイヤレス防犯受信器の信号処理部の具体的構成の他例を示す図
【図６】モード、外部通報有無の登録モードについて説明するためのフローチャート
【図７】ワイヤレス防犯受信器のマイコンの具体的構成の更に他例を示す図
【図８】パターン登録テーブルの構成の一例を示す図
【図９】ワイヤレス遠隔操作送信器の外観構成の一例を示す図
【図１０】ワイヤレス遠隔操作送信器の内部構成の一例を示す図
【図１１】ワイヤレス防犯受信器の遠隔登録モードについて説明するためのフローチャート
【符号の説明】
【００１９】
１  ワイヤレス防犯受信器
２  ワイヤレス防犯センサ
３  通報先
４  ワイヤレス遠隔操作送信器
１０  判別制御手段
１１  外部通報情報設定手段
１２  外部通報有無情報メモリ
１３  通報制御手段
１４  通報先情報メモリ
１８  外部通報パターン設定手段
１９  パターン選択スイッチ
２１，２１Ａ、２１Ｂ  切換スイッチ
Ｂ１  警報切りスイッチ
Ｂ２  報知モード設定スイッチ
Ｂ３  警戒モード（通報なし）スイッチ
Ｂ４  警戒モード（通報あり）スイッチ
Ｂ５  パターンスイッチ
【図１】
2005173837.tif 000003
【図２】
2005173837.tif 000004
【図３】
2005173837.tif 000005
【図４】
2005173837.tif 000006
【図５】
2005173837.tif 000007
【図６】
2005173837.tif 000008
【図７】
2005173837.tif 000009
【図８】
2005173837.tif 000010
【図９】
2005173837.tif 000011
【図１０】
2005173837.tif 000012
【図１１】
2005173837.tif 000013